(57)【要約】【課題】２つのスナップボタンを結合させたまま電気的接続を遮断し、消費電力を抑えることができるスイッチ機能付スナップボタンを提供することを目的とする。【解決手段】本発明のスイッチ機能付スナップボタンは、雄型スナップボタンと雌型スナップボタンが、互いに電気的に絶縁された２つ以上の導電性領域と非導電性領域を備え、互いのスナップボタンを嵌合し回転させたときに導電性領域と導電性領域が接触または非接触するように構成した。【選択図】図１
2018140083.tif 000002
【特許請求の範囲】
【請求項１】
互いに嵌合する雄型スナップボタンと雌型スナップボタンとからなり、
前記雄型スナップボタンは、互いに電気的に絶縁された２つ以上の導電性領域を備え、
前記雌型スナップボタンは、互いに電気的に絶縁された２つ以上の導電性領域を備え、
前記雄型スナップボタンは、互いに電気的に絶縁された２つ以上の非導電性領域を備え、
前記雌型スナップボタンは、互いに電気的に絶縁された２つ以上の非導電性領域を備え、
前記雄型スナップボタンと前記雌型スナップボタンを嵌合し回転させたときに前記雄型スナップボタンの前記導電性領域と前記雌型スナップボタンの前記導電性領域が接触または非接触することを特徴とするスイッチ機能付スナップボタン。
【請求項２】
前記導電性領域は、導電性を有し人体への皮膚感作性の少ない材料からなるものである請求項１記載のスイッチ機能付スナップボタン。
【請求項３】
前記導電性領域が、スズめっきされた真鍮、銅、アルミ、金、銀、チタン、金メッキされた金属のいずれかである請求項１記載のスイッチ機能付スナップボタン。
【請求項４】
前記非導電性領域が、ポリアミド樹脂、ポリアセタール樹脂、ポリプロピレン樹脂、ＡＢＳ樹脂、ポリスチレン樹脂、ポリ乳酸樹脂、ポリカーボネート樹脂、ポリエチレン樹脂、ポリテトラフロロエチレン樹脂、ポリブチレンテレフタレート樹脂、ポリエチレンテレフタレート樹脂、ポリウレタン樹脂、アクリル樹脂、シリコーン樹脂、フェノール樹脂、エポキシ樹脂のいずれかである請求項１記載のスイッチ機能付スナップボタン。
【請求項５】
前記雄型スナップボタンは、互いに電気的に絶縁された３つ以上の導電性領域を備え、
前記雌型スナップボタンは、互いに電気的に絶縁された３つ以上の導電性領域を備え、
前記雄型スナップボタンは、互いに電気的に絶縁された３つ以上の非導電性領域を備え、
前記雌型スナップボタンは、互いに電気的に絶縁された３つ以上の非導電性領域を備え、
前記雄型スナップボタンと前記雌型スナップボタンを嵌合し回転させたときに、
前記雄型スナップボタンの第１の導電性領域と、前記雌型スナップボタンの第１の導電性領域が接触し、
前記雄型スナップボタンの第２の導電性領域と、前記雌型スナップボタンの第２の導電性領域が接触し、
前記雄型スナップボタンの第３の導電性領域と、前記雌型スナップボタンの第３の導電性領域が接触し、
前記雄型スナップボタンの第１の非導電性領域と、前記雌型スナップボタンの第１の非導電性領域が接触し、
前記雄型スナップボタンの第２の非導電性領域と、前記雌型スナップボタンの第２の非導電性領域が接触し、
前記雄型スナップボタンの第３の非導電性領域と、前記雌型スナップボタンの第３の非導電性領域が接触することを特徴とするスイッチ機能付スナップボタン。
【請求項６】
前記雄型スナップボタンの第１の導電性領域と第２の導電性領域の間に電池を備え、
前記雄型スナップボタンの第１の導電性領域が前記電源の陽極に接続され、
前記雄型スナップボタンの第２の導電性領域が前記電源の陰極に接続されたものである請求項１乃至請求項５のいずれかに記載のスイッチ機能付スナップボタン。
【発明の詳細な説明】
【技術分野】
【０００１】
本発明は、スイッチ機能を備え、回転させることにより回路をオン／オフすることができるスイッチ機能付スナップボタンに関する。
【背景技術】
【０００２】
従来、スイッチ機能付スナップボタンとしては、それぞれ対になる２つのスナップボタン、例えば服、袋等の一部分とその対応する部分とに付けられてそれらを互いに着脱自在に結合させるものがあった。このようなスイッチ機能付スナップボタンは２つのスナップボタンの間の着脱により回路を電気的に接続と遮断させることができるものであった（特許文献１参照）。
【先行技術文献】
【特許文献】
【０００３】
【特許文献１】特許第４３０２０９１号公報
【発明の概要】
【発明が解決しようとする課題】
【０００４】
しかし、従来のスイッチ機能付スナップボタンは、２つのスナップボタンの間の係脱により回路のオン/オフ状態を制御することができるが、電気的接続が不要な場合であっても、２つのスナップボタンを結合させたまま電気的接続の遮断を行うことができず、消費電力を抑えることができないという課題があった。
【０００５】
したがって、本発明は上記課題を解決し、２つのスナップボタンを結合させたまま電気的接続を遮断し、消費電力を抑えることができるスイッチ機能付スナップボタンを提供することを目的とするものである。
【課題を解決するための手段】
【０００６】
目的を達成するために、本発明のスイッチ機能を備えた回路作動機能を有するスナップボタンを次のように構成した。
【０００７】
すなわち本発明のスイッチ機能付スナップボタンは、互いに嵌合する雄型スナップボタンと雌型スナップボタンとからなり、前記雄型スナップボタンは、互いに電気的に絶縁された２つ以上の導電性領域を備え、前記雌型スナップボタンは、互いに電気的に絶縁された２つ以上の導電性領域を備え、前記雄型スナップボタンは、互いに電気的に絶縁された２つ以上の非導電性領域を備え、前記雌型スナップボタンは、互いに電気的に絶縁された２つ以上の非導電性領域を備え、前記雄型スナップボタンと前記雌型スナップボタンを嵌合し回転させたときに前記雄型スナップボタンの前記導電性領域と前記雌型スナップボタンの前記導電性領域が接触または非接触するように構成した。
【０００８】
また、前記導電性領域は、導電性を有し人体への皮膚感作性の少ない材料からなるように構成してもよい。
【０００９】
また、前記導電性領域が、スズめっきされた真鍮、銅、アルミ、金、銀、チタン、金メッキされた金属のいずれかであるように構成してもよい。
【００１０】
また、前記非導電性領域が、ポリアミド樹脂、ポリアセタール樹脂、ポリプロピレン樹脂、ABS樹脂、ポリスチレン樹脂、ポリ乳酸樹脂、ポリカーボネート樹脂、ポリエチレン樹脂、ポリテトラフロロエチレン樹脂、ポリブチレンテレフタレート樹脂、ポリエチレンテレフタレート樹脂、ポリウレタン樹脂、アクリル樹脂、シリコーン樹脂、フェノール樹脂、エポキシ樹脂のいずれかであるように構成してもよい。
【００１１】
また、前記雄型スナップボタンは、互いに電気的に絶縁された３つ以上の導電性領域を備え、前記雌型スナップボタンは、互いに電気的に絶縁された３つ以上の導電性領域を備え、前記雄型スナップボタンは、互いに電気的に絶縁された３つ以上の非導電性領域を備え、前記雌型スナップボタンは、互いに電気的に絶縁された３つ以上の非導電性領域を備え、前記雄型スナップボタンと前記雌型スナップボタンを嵌合し回転させたときに、前記雄型スナップボタンの第１の導電性領域と、前記雌型スナップボタンの第１の導電性領域が接触し、前記雄型スナップボタンの第２の導電性領域と、前記雌型スナップボタンの第２の導電性領域が接触し、前記雄型スナップボタンの第３の導電性領域と、前記雌型スナップボタンの第３の導電性領域が接触し、前記雄型スナップボタンの第１の非導電性領域と、前記雌型スナップボタンの第１の非導電性領域が接触し、前記雄型スナップボタンの第２の非導電性領域と、前記雌型スナップボタンの第２の非導電性領域が接触し、前記雄型スナップボタンの第３の非導電性領域と、前記雌型スナップボタンの第３の非導電性領域が接触するように構成してもよい。
【００１２】
また、前記雄型スナップボタンの第１の導電性領域と第２の導電性領域の間に電池を備え、前記雄型スナップボタンの第１の導電性領域が前記電源の陽極に接続され、前記雄型スナップボタンの第２の導電性領域が前記電源の陰極に接続されたものであるように構成してもよい。
【発明の効果】
【００１３】
本発明に係るスイッチ機能付スナップボタンは、互いに嵌合する雄型スナップボタンと雌型スナップボタンとからなり、前記雄型スナップボタンは、互いに電気的に絶縁された２つ以上の導電性領域を備え、前記雌型スナップボタンは、互いに電気的に絶縁された２つ以上の導電性領域を備え、前記雄型スナップボタンは、互いに電気的に絶縁された２つ以上の非導電性領域を備え、前記雌型スナップボタンは、互いに電気的に絶縁された２つ以上の非導電性領域を備え、前記雄型スナップボタンと前記雌型スナップボタンを嵌合し回転させたときに前記雄型スナップボタンの前記導電性領域と前記雌型スナップボタンの前記導電性領域が接触または非接触するように構成したので、２つのスナップボタンを結合させたまま電気的接続を遮断し、消費電力を抑えることができる。
【図面の簡単な説明】
【００１４】
【図１】本発明の実施形態に係るスイッチ機能付スナップボタンを示す平面図である。
【図２】本発明の実施形態に係るスイッチ機能付スナップボタンを示す断面図である。
【図３】本発明の他の実施形態に係るスイッチ機能付スナップボタンを示す平面図である
【図４】本発明の他の実施形態に係るスイッチ機能付スナップボタンを示す断面図である。
【発明を実施するための形態】
【００１５】
本発明のスイッチ機能付スナップボタンは、互いに嵌合する雄型スナップボタンと雌型スナップボタンとからなり、前記雄型スナップボタンは、互いに電気的に絶縁された２つ以上の導電性領域を備え、前記雌型スナップボタンは、互いに電気的に絶縁された２つ以上の導電性領域を備え、前記雄型スナップボタンは、互いに電気的に絶縁された２つ以上の非導電性領域を備え、前記雌型スナップボタンは、互いに電気的に絶縁された２つ以上の非導電性領域を備え、前記雄型スナップボタンと前記雌型スナップボタンを嵌合し回転させたときに前記雄型スナップボタンの前記導電性領域と前記雌型スナップボタンの前記導電性領域が接触または非接触するように構成したものである。
【００１６】
本発明のスイッチ機能付スナップボタンは、互いに嵌合する雄型スナップボタンおよび雌型スナップボタンからなる。雄型スナップボタンとしては、図１（ａ）に示すように、円盤状に形成されており、上面にはこの面に対して垂直な方向に突出し、根本部分がくびれた凸部１１が設けられたものを使用するとよい。また、雄型スナップボタンの形状は円盤状に限らず、多角形形状を使用することができる。
【００１７】
雄型スナップボタン１は任意の材料で構成することができる。たとえば、金属で構成され導電性があり、人体への皮膚感作性の少ない材料を用いることができる。具体的にはスズめっきされた真鍮、銅、アルミ、金、銀、チタン、金メッキされた金属等を挙げることができる。
【００１８】
雄型スナップボタン１の周縁部には、周方向に沿って、厚さ方向に貫通した取付孔４が形成される。取付孔４は、生地に雄型スナップボタン１を縫い付けるために使用される。
【００１９】
雌型スナップボタンとしては、図１（ｂ）に示すように、円盤状に形成されており、上面には、下面に向かって穿設された凹部１２が形成されている。
【００２０】
この凹部１２内部には、両端が凹部１２の内周面に固定された２本の棒状のばね部１０が架設されている。
【００２１】
雌型スナップボタン２は任意の材料で構成することができる。たとえば、金属で構成され導電性があり、人体への皮膚感作性の少ない材料を用いることができる。具体的にはスズめっきされた真鍮、銅、アルミ、金、銀、チタン、金メッキされた金属等を挙げることができる。
【００２２】
雌型スナップボタン２の周縁部には、周方向に沿って、厚さ方向に貫通した取付孔７が形成されている。取付孔７は、生地に雌型スナップボタン２を縫い付けるために使用される。
【００２３】
互いに電気的に絶縁された２つ以上の導電性領域が雄型スナップボタン１に形成されている。
【００２４】
導電性領域は雌型スナップボタン２に接触する任意の箇所に形成する。たとえば、導電性領域６（ａ）と導電性領域６（ｂ）を図１に示すように円盤部の上面に形成することができる。また、円盤部の上面に限らず雄型スナップボタン１の凸部１１に形成することができる。導電性領域は、扇状等任意の形状で構成するとよい。
【００２５】
導電性領域は、雄型スナップボタン１と一体的に構成することができる。また、雄型スナップボタン１と別部材で構成し雄型スナップボタン１の表面に積層して構成してもよい。雄型スナップボタン１と一体的に構成するには、導体部分の金属プレス成形を行い形成したあと、その周囲を樹脂で囲むようにした金型を使用し、周囲に樹脂を射出成形して形成する方法を用いるとよい。また、雄型スナップボタン１と別部材で構成し雄型スナップボタン１の表面に積層して構成するには、最初にスナップボタンをプレスによって成形し、絶縁部分を射出成型で形成し、それらの部材を嵌合させて作成する方法を用いるとよい。また、雄型スナップボタン１に表面処理して直接的に積層することもできる。たとえば、絶縁部分に樹脂をインクジェットやディスペンサー等の方法を用いてコーティング方法を用いるとよい。
【００２６】
導電性領域を構成する材料としては、任意の導電性材料を用いるとよい。たとえば、金属は人体への皮膚感作性の少ない材料を用いることができる。具体的にはスズめっきされた真鍮、銅、アルミ、金、銀、チタン、金メッキされた金属等を挙げることができる。
【００２７】
互いに電気的に絶縁された２つ以上の導電性領域が雌型スナップボタン２に形成されている。
【００２８】
導電性領域は雄型スナップボタン１に接触し、かつ雄型スナップボタン１の導電性領域に接触する任意の箇所に形成する。導電性領域は、扇状等任意の形状で構成するとよい。
【００２９】
導電性領域を形成するには、上述した雄型スナップボタン１の導電性領域６と同様にすればよい。また、導電性領域９の材料としては、上述した雄型スナップボタン１の導電性領域６と同様のものを用いればよい。
【００３０】
互いに電気的に絶縁された２つ以上の非導電性領域が雄型スナップボタン１の導電性領域以外に形成されている。
【００３１】
非導電性領域は、雄型スナップボタン１と一体的に構成することができる。また、雄型スナップボタン１と別部材で構成し雄型スナップボタン１の表面に積層して構成してもよい。雄型スナップボタン１と一体的に構成するには、導体部分の金属プレス成形を行い形成したあと、その周囲を樹脂で囲むようにした金型を使用し、周囲に樹脂を射出成形して形成する方法を用いるとよい。また、雄型スナップボタン１と別部材で構成し雄型スナップボタン１の表面に積層して構成するには、最初にスナップボタンをプレスによって成形し、絶縁部分を射出成型で形成し、それらの部材を嵌合させて作成する方法を用いるとよい。また、雄型スナップボタン１に表面処理して直接的に積層することもできる。たとえば、絶縁部分に樹脂をインクジェットやディスペンサー等の方法を用いてコーティング方法を用いるとよい。
【００３２】
非導電性領域を構成する材料としては、任意の非導電性材料を用いるとよい。たとえば、電気的絶縁性をもつポリアミド樹脂、ポリアセタール樹脂、ポリプロピレン樹脂、ABS樹脂、ポリスチレン樹脂、ポリ乳酸樹脂、ポリカーボネート樹脂、ポリエチレン樹脂、ポリテトラフロロエチレン樹脂、ポリブチレンテレフタレート樹脂、ポリエチレンテレフタレート樹脂、ポリウレタン樹脂、アクリル樹脂、シリコーン樹脂、フェノール樹脂、エポキシ樹脂等を用いることができる。
【００３３】
互いに電気的に絶縁された２つ以上の非導電性領域が雌型スナップボタン２の導電性領域以外に形成されている。
【００３４】
非導電性領域を形成するには、上述した雄型スナップボタン１の非導電性領域５と同様にすればよい。また、非導電性領域７の材料としては、上述した雄型スナップボタン１の非導電性領域５と同様のものを用いればよい。
【００３５】
雄型スナップボタン１と雌型スナップボタン２を嵌合し回転させたときに雄型スナップボタン１の導電性領域６と雌型スナップボタン２の導電性領９域が接触または非接触する。
【００３６】
雄型スナップボタン１と雌型スナップボタン２を嵌合させる。すなわち、雄型スナップボタン１の凸部１１ を雌型スナップボタン２の凹部１２に挿入する。凸部１１のくびれが凹部１２内のばね部１０に係止され、雄型スナップボタン１が雌型スナップボタン２から抜け止めされる。雄型スナップボタン１および雌型スナップボタン２は嵌合され、機械的に接続された状態となる。
【００３７】
なお、スナップボタンの接続を外す場合、雄型スナップボタン１と雌型スナップボタン２とを互いに離間する方向に力を加える。すると、凸部１１のくびれとばね部１０との係止が外れ、雄型スナップボタン１が雌型スナップボタン２から外れ抜ける。これにより、雄型スナップボタン１と雌型スナップボタン２の機械的接続が解かれる。
【００３８】
雄型スナップボタン１と雌型スナップボタン２を回転させることができる。すなわち、雄型スナップボタン１と雌型スナップボタン２を嵌合させると、凸部１１のくびれが凹部１２内のばね部１０に係止されたまま、雄型スナップボタン１または雌型スナップボタン２のいずれかを回転させることができる。
【００３９】
雄型スナップボタン１の導電性領域６と雌型スナップボタン２の導電性領域９は、接触または非接触の状態となる。
【００４０】
まず、接触について説明する。すなわち、雄型スナップボタン１と雌型スナップボタン２を嵌合し回転させることにより、雄型スナップボタン１の導電性領域６（ａ）は、雌型スナップボタン２の導電性領域９（ａ）と接触し、電気的に接続し、雄型スナップボタン１の導電性領域６（ｂ）は、雌型スナップボタン２の導電性領域９（ｂ）と接触し、電気的に接続する。
【００４１】
次に、非接触について説明する。雄型スナップボタン１の導電性領域６と雌型スナップボタン２の導電性領域９を非接触させることができる。
【００４２】
すなわち、雄型スナップボタン１または雌型スナップボタン２のいずれかを回転させる場合、例えば雄型スナップボタン１のみを時計回りに９０度回転させた場合、雄型スナップボタン１の導電性領域６（ａ）は、雌型スナップボタン２の非導電性領域８（ｂ）と接触し、雄型スナップボタン１の導電性領域６（ｂ）は、雌型スナップボタン２の非導電性領域８（ａ）と接触し、電気的接続を遮断する。
【００４３】
上記のように構成されたスイッチ機能付スナップボタンは、嵌合し回転させるたびに、雄型スナップボタン１と、雌型スナップボタン２のそれぞれの導電性領域と非導電性領域が接触することにより、電気的接続を遮断することができる。
【実施例１】
【００４４】
本実施例において、図１および図２に示すように、本実施の形態に係るスイッチ機能を備えた回路作動機能を有するスナップボタンは、雄型スナップボタン１と雌型スナップボタン２からなるスナップボタン３で構成されている。
【００４５】
雄型スナップボタン１はスズめっきされた真鍮を用いて円盤状に構成した（図１（ａ）および図２（ａ）参照）。
【００４６】
また、雌型スナップボタン２はスズめっきされた真鍮を用いて円盤状に構成した（図１（ｂ）および図２（ｂ）参照）。
【００４７】
雄型スナップボタンの導電性領域は、互いに電気的に絶縁された２つの導電性領域を持ち、スズめっきされた真鍮を用いて扇形に構成した。雄型スナップボタンの非導電性領域は、は、互いに電気的に絶縁された２つの導電性領域を持ち、ポリウレタン樹脂を用いて扇形に構成した。
【００４８】
雌型スナップボタン２の導電性領域は、互いに電気的に絶縁された２つの導電性領域を持ち、スズめっきされた真鍮を用いて扇形に構成した。雌型スナップボタン２の非導電性領域は、は、互いに電気的に絶縁された２つの導電性領域を持ち、ポリウレタン樹脂を用いて扇形に構成した。
【００４９】
雄型スナップボタン１の上面にはこの面に対して垂直な方向に突出し、根本部分がくびれた凸部１１が設けられている。また、雄型スナップボタンの周縁部には、周方向に沿って、厚さ方向に貫通した取付孔４が形成されている。
【００５０】
雌型スナップボタン２の上面には、下面に向かって穿設された凹部１２が形成されている。この凹部１２内部には、両端が凹部１２の内周面に固定された２本の棒状のばね部１０が架設されている。
【００５１】
また、雌型スナップボタン２の周縁部には、周方向に沿って、厚さ方向に貫通した取付孔７が形成されている。
【００５２】
次に、スナップボタンの着脱方法について説明する。
【００５３】
まず、スナップボタンを接続する。雄型スナップボタン１の凸部１１を雌型スナップボタン２の凹部１２に挿入する。凸部１１のくびれが凹部１２内のばね部１０に係止され、雄型スナップボタン１が雌型スナップボタン２から抜け止めされる。雄型スナップボタン１および雌型スナップボタン２は嵌合され、機械的に接続された状態となる。
【００５４】
このように機械的に接続され、雄型スナップボタン１の導電性領域６と雌型スナップボタン２の電性領域９が接触すると電気的に接続する。また、雄型スナップボタン１の導電性領域６と雌型スナップボタン２の導電性領域９が接触しないと電気的に接続されない。
【００５５】
実施例１において、雄型スナップボタン１は導電性領域６（ａ）と導電性領域６（ｂ）からなり、導電性領域の間は、非導電性領域５（ａ）と非導電性領域５（ｂ）からなる。
【００５６】
また、雌型スナップボタン２は導電性領域９（ａ）と導電性領域９（ｂ）からなり、導電性領域の間は非導電性領域８（ａ）と非導電性領域８（ｂ）からなる。
【００５７】
雄型スナップボタン１および雌型スナップボタン２が嵌合されたとき、雄型スナップボタン１の導電性領域６（ａ）と雌型スナップボタン２の導電性領域９（ａ）とが接触して電気的に接続し、雄型スナップボタン１の導電性領域６（ｂ）と雌型スナップボタン２の導電性領域９（ｂ）が接触すると電気的に接続する。
【００５８】
また、雄型スナップボタン１の非導電性領域５（ａ）と雌型スナップボタン２の導電性領域９（ａ）または９（ｂ）とが接触すると電気的に接続されず、雄型スナップボタン１の非導電性領域５（ｂ）と雌型スナップボタン２の導電性領域９（ａ）または９（ｂ）とが接触すると電気的に接続されない。
【００５９】
次に、スナップボタンの回転による電気的な接続と遮断について説明する。
【００６０】
雄型スナップボタン１および雌型スナップボタン２の嵌合時において、雄型スナップボタン１の導電性領域６と雌型スナップボタン２の導電性領域９が電気的に接続している時は、雄型スナップボタン１または雌型スナップボタン２のいずれかを回転させることにより、雄型スナップボタン１の導電性領域６と雌型スナップボタン２の導電性領域９が非接触し、電気的に遮断する。
【００６１】
また、雄型スナップボタン１および雌型スナップボタン２の嵌合時において、雄型スナップボタン１の導電性領域６と雌型スナップボタン２の導電性領域９が電気的に接続されていない時は、雄型スナップボタン１または雌型スナップボタン２のいずれかを回転させることにより、雄型スナップボタン１の導電性領域６と雌型スナップボタン２の導電性領域９が接触し、電気的に接続する。
【００６２】
雄型スナップボタン１と雌型スナップボタン２が電気的に接続している時は、雄型スナップボタン１または雌型スナップボタン２のいずれかを右または左に回転させると、雄型スナップボタン１の導電性領域６（ａ）は、雌型スナップボタン２の非導電性領域８（ｂ）と接触し、雄型スナップボタン１の導電性領域６（ｂ）は、雌型スナップボタン２の非導電性領域８（ａ）と接触し、電気的接続を遮断する。
【００６３】
雄型スナップボタン１と雌型スナップボタン２が電気的に接続されていない時は、雄型スナップボタン１または雌型スナップボタン２のいずれかを右または左に回転させると、雄型スナップボタン１の導電性領域６（ａ）は、雌型スナップボタン２の非導電性領域９（ａ）と接触し、雄型スナップボタン１の導電性領域６（ｂ）は、雌型スナップボタン２の非導電性領域９（ｂ）と接触し、電気的に接続する。
【００６４】
上記のように構成されたスイッチ機能付スナップボタンは、嵌合し回転させるたびに、雄型スナップボタン１と、雌型スナップボタン２のそれぞれの導電性領域と非導電性領域を接触させることができ、任意に電気的接続を遮断することができる。
【実施例２】
【００６５】
次に、本発明に係る実施例２について説明する。本発明では雄型スナップボタン１および雌型スナップボタン２について、導電性領域と非導電性領域の数を任意に設けることができ、本実施例において、図３に示すように、雄型スナップボタン１および雌型スナップボタン２について４つの導電性領域と４つの非導電性領域を設けた。なお、本実施例において、実施例１と同様の構成については、同じ名称および符号を付し、適宜説明を省略する。
【００６６】
雄型スナップボタン１は導電性領域６（ｃ）、導電性領域６（ｄ）、導電性領域６（ｅ）、導電性領域６（ｆ）からなり、導電性領域の間は、非導電性領域５（ｃ）、非導電性領域５（ｄ）、非導電性領域５、非導電性領域５（ｆ）からなる（図３（ａ）参照）。
【００６７】
また、雌型スナップボタン２は導電性領域９（ｃ）、導電性領域９（ｄ）、導電性領域９（ｅ）、導電性領域９（ｆ）からなり、導電性領域の間は、非導電性領域８（ｃ）、非導電性領域８（ｄ）、非導電性領域８（ｅ）、非導電性領域８（ｆ）からなる（図３（ｂ）参照）。
【００６８】
たとえば雄型スナップボタン１のみを時計回りに４５度回転させた場合、雄型スナップボタン１の導電性領域６（ｃ）、６（ｄ）、６（ｅ）、６（ｆ）は、雌型スナップボタン２の導電性領域９（ｃ）、９（ｄ）、９（ｅ）、９（ｆ）または非導電性領域８（ｃ）、８（ｄ）、８（ｅ）、８（ｆ）と接触し、電気的に接続または遮断することができる。
【００６９】
上記のように構成されたスイッチ機能付スナップボタンは、雄型スナップボタン１と雌型スナップボタン２の電気的接続を小さい角度で行うことができる。
【実施例３】
【００７０】
本発明に係る実施例３は、図４に示すように、雄型スナップボタン１に電池１３を設けたものである。なお、本実施例において、実施例１と同様の構成については、同じ名称および符号を付し、適宜説明を省略する。
【００７１】
雄型スナップボタン１は、凸部１１とは反対側に電池１３を備え、雄型スナップボタン１の導電性領域６（ａ）は、電池１３の陽極に接続され、雄型スナップボタン１の導電性領域６（ｂ）は電池１３の陰極に接続されている（図４（ａ）参照）。
【００７２】
雌型スナップボタン２を嵌合し、雌型スナップボタン２の導電性領域９（ａ）と導電性領域９（ｂ）に、雄型スナップボタン１の導電性領域６（ａ）と導電性領域６（ｂ）が接続することにより、雌型スナップボタン２の導電性領域９（ａ）と導電性領域９（ｂ）の間に接続される電気回路が駆動する。
【００７３】
また、雄型スナップボタン１と雌型スナップボタン２の嵌合部を回転させることにより、雄型スナップボタン１に内蔵された電池１３と、雌型スナップボタン２に接続された電気回路との接続を遮断することができる。
【００７４】
上記のように構成されたスイッチ機能付スナップボタンは、電池を内蔵することにより衣服に取り付けられたウェアラブル機器等への電源供給が通常の衣服を着る動作で実現できるため、容易になる効果を得ることができた。
【符号の説明】
【００７５】
１  雄型スナップボタン
２  雌型スナップボタン
３  スナップボタン
４  取付孔
５  非導電性領域
６  導電性領域
７  取付孔
８  非導電性領域
９  導電性領域
１０  ばね部
１１  凸部
１２  凹部
１３  電池
【図１】
2018140083.tif 000003
【図２】
2018140083.tif 000004
【図３】
2018140083.tif 000005
【図４】
2018140083.tif 000006